(57)【要約】【課題】圧縮映像データ内の動きの大きさに応じて圧縮映像データの再生速度の制御を行う映像再生装置、映像再生プログラム、映像再生方法を提供する。【解決手段】フレーム間圧縮を行う映像符号化により複数の画像が圧縮された圧縮映像データを解析することにより、該圧縮映像データ内の各画像のフレームのデータサイズを取得する解析部と、データサイズに基づいて、圧縮映像データの再生速度を決定する決定部と、圧縮映像データを複数の画像へ復号する復号部と、複数の画像を、再生速度に従って順に表示装置に表示させる表示制御部と、を備える。【選択図】図２
2010288036.tif 000002
【特許請求の範囲】
【請求項１】
フレーム間圧縮を行う映像符号化により複数の画像が圧縮された圧縮映像データを解析することにより、該圧縮映像データ内の各画像のフレームのデータサイズを取得する解析部と、
前記データサイズに基づいて、前記圧縮映像データの再生速度を決定する決定部と、
前記圧縮映像データを前記複数の画像へ復号する復号部と、
前記複数の画像を、前記再生速度に従って順に表示装置に表示させる表示制御部と、
を備える映像再生装置。
【請求項２】
前記表示制御部は、第１のフレームの表示を開始する時刻から、前記再生速度に基づいて定まる時間間隔をおいて、前記第１のフレームの次の第２のフレームの画像の表示を開始する、
請求項１に記載の映像再生装置。
【請求項３】
前記映像符号化は、フレーム内圧縮と前記フレーム間圧縮を行い、
前記圧縮映像データは、前記フレーム内圧縮により圧縮されたフレームであるＩピクチャと、前記フレーム間圧縮により圧縮されたフレームであるＰピクチャとを有し、
前記決定部は、前記Ｉピクチャのデータサイズに対する前記Ｐピクチャのデータサイズの比に基づいて、該Ｐピクチャの再生タイミングを決定する、
請求項１または請求項２に記載の映像再生装置。
【請求項４】
フレーム間圧縮を行う映像符号化により複数の画像が圧縮された圧縮映像データを解析することにより、該圧縮映像データ内の各画像のフレームのデータサイズを取得し、
前記データサイズに基づいて、前記圧縮映像データの再生速度を決定することと、
前記圧縮映像データを前記複数の画像へ復号し、
前記複数の画像を、前記再生速度に従って順に表示装置に表示させる、
ことをコンピュータに実行させる映像再生プログラム。
【請求項５】
フレーム間圧縮を行う映像符号化により複数の画像が圧縮された圧縮映像データを解析することにより、該圧縮映像データ内の各画像のフレームのデータサイズを取得し、
前記データサイズに基づいて、前記圧縮映像データの再生速度を決定し、
前記圧縮映像データを前記複数の画像へ復号し、
前記複数の画像を、前記再生速度に従って順に表示装置に表示させる、
ことを備える映像再生方法。
【発明の詳細な説明】
【技術分野】
【０００１】
この出願に開示された技術は、圧縮された映像データの再生を行う映像再生装置、映像再生プログラム、映像再生方法に関するものである。
【背景技術】
【０００２】
映像監視システムでは、オフィスの玄関、エレベータホール、サーバ室、執務室、銀行やコンビニのＡＴＭ、などの監視対象に対して、監視対象の近くに監視カメラが設置されている。映像監視システムは、防犯を主目的とする。このようなシステムにおいて、監視カメラにより得られた映像データは、ストレージ等に保存され、事件の確認などの為に、後日、映像として再生されることができる。
【０００３】
事件の内容によっては、事件が起きた時刻や日付が限定できない場合がある。これは、例えば、顧客の機密情報の流出の事故があり、情報ソースが持ち出された痕跡を調査するような場合である。このような調査の作業者は、例えば入退室ログ等の調査や、映像解析により時刻の範囲を絞り込む。この時刻は、例えば映像内の特定の位置に人が来た時刻などである。作業者は、時刻の範囲が絞り込めない場合、数日〜数ヶ月の映像を目視確認する必要がある。作業者が長時間の映像を確認するには、相応の時間が必要であり、作業者の肉体的精神的負担が大きい。
【０００４】
なお、関連する技術として、複数のフレームの中から抽出したフレームのみを転送する技術がある。
【先行技術文献】
【特許文献】
【０００５】
【特許文献１】特開２００３−３０９８１１号公報
【発明の概要】
【発明が解決しようとする課題】
【０００６】
しかしながら、映像データを再生するコンピュータが、映像データ内の動きを認識し、その認識結果に応じて再生を行うためには、フレーム間の差分演算等、大量の演算が必要である。この場合、その演算がコンピュータのＣＰＵ（Central Processing Unit）を占有したり、その演算により映像データの再生が間に合わなくなるために映像データを間引くことが必要になったりする。
【０００７】
本発明は上述した問題点を解決するためになされたものであり、圧縮映像データ内の動きの大きさに応じて圧縮映像データの再生速度の制御を行う映像再生装置、映像再生プログラム、映像再生方法を提供することを目的とする。
【課題を解決するための手段】
【０００８】
上述した課題を解決するため、本発明の一態様は、フレーム間圧縮を行う映像符号化により複数の画像が圧縮された圧縮映像データを解析することにより、該圧縮映像データ内の各画像のフレームのデータサイズを取得する解析部と、前記データサイズに基づいて、前記圧縮映像データの再生速度を決定する決定部と、前記圧縮映像データを前記複数の画像へ復号する復号部と、前記複数の画像を、前記再生速度に従って順に表示装置に表示させる表示制御部とを備える。
【発明の効果】
【０００９】
この出願に開示された技術によれば、圧縮映像データ内の動きの大きさに応じて圧縮映像データの再生速度の制御を行うことができる。
【図面の簡単な説明】
【００１０】
【図１】映像監視システムの構成を示すブロック図である。
【図２】映像再生装置の構成を示すブロック図である。
【図３】映像再生装置の動作を示すフローチャートである。
【図４】再生速度決定処理を示すフローチャートである。
【図５】ｍとｒの関係の一例を示す図である。
【図６】各フレームの圧縮映像データのデータサイズを示す図である。
【図７】カメラがパンを行う場合の各フレームの圧縮映像データのデータサイズを示す図である。
【図８】変形例の映像再生装置の構成を示すブロック図である。
【図９】本発明が適用されるコンピュータシステムの一例を示す図である。
【発明を実施するための形態】
【００１１】
以下、本発明の実施の形態について図面を参照しつつ説明する。
【００１２】
以下、本発明の適用例である映像監視システム１について説明する。
【００１３】
図１は、映像監視システム１の構成を示すブロック図である。映像監視システム１は、複数のカメラ２、複数のレコーダ３、サーバ４、ストレージ装置５、映像再生装置６、表示装置７、入力装置８を有する。
【００１４】
カメラ２は、監視対象に向けて設置され、監視対象を撮影し、得られた映像（動画）データをレコーダ３へ送信する。レコーダ３は、カメラ２から受信した映像データをエンコードすることにより圧縮して圧縮映像データとし、圧縮映像データを一時蓄積し、所定の時間間隔で圧縮映像データをサーバ４へ送信する。サーバ４は、レコーダ３から受信した圧縮映像データをストレージ装置５へ保存する。ストレージ装置５は、ハードディスクや磁気テープなどのストレージを有し、圧縮映像データを格納する。映像再生装置６は、作業者から入力装置８へ入力される指示に従って、圧縮映像データをストレージ装置５から読み出して復号し、その復号結果を表示装置７に表示させる。
【００１５】
長期間の映像データを収集するために、カメラ２は、例えば、１ｆｐｓ（フレーム／秒）の撮影フレームレートで撮影を行う。レコーダ３は、所定の映像符号化方式により映像データのエンコードを行って圧縮映像データを生成する。所定の映像符号化方式は、フレーム間圧縮を行う。フレーム間圧縮を行う映像符号化方式は、例えばＭＰＥＧ（Moving Picture Experts Group）１，ＭＰＥＧ２，ＭＰＥＧ４、Ｈ．２６４等がある。映像監視システム１における映像符号化方式は、ＧＯＰ（Group Of Pictures）毎に、１つのＩピクチャと複数のＰピクチャとを含む。Ｉピクチャは、フレーム内圧縮されたフレームである。Ｐピクチャは、前のフレームの情報を用いて符号化するフレーム間圧縮されたフレームである。
【００１６】
以下、映像再生装置６について説明する。
【００１７】
図２は、映像再生装置６の構成を示すブロック図である。映像再生装置６は、通信部１１、メモリ１２、解析部１４、再生速度決定部１８、復号部１５、タイミング制御部１６、表示装置制御部１７を有する。解析部１４、再生速度決定部１８、復号部１５、タイミング制御部１６、表示装置制御部１７は、映像再生プログラムとして映像再生装置６内の記憶部に格納されて、映像再生装置６内のＣＰＵ（Central Processing Unit）により実行されても良いし、回路として実現されても良い。
【００１８】
入力装置８からの指示に従って、通信部１１は、ストレージ装置５から圧縮映像データを読み出してメモリ１２へ展開する。解析部１４は、圧縮映像データをメモリ１２から読み出し、圧縮映像データ内のヘッダを解析し、解析結果をタイミング制御部１６へ送り、各フレームの圧縮映像データを復号部１５へ送る。復号部１５は、圧縮映像データを復号（デコード）して各フレームの画像を生成する。タイミング制御部１６は、映像の再生の基準となるタイマーを有し、解析部１４による解析結果に基づいてタイミングを示す信号を生成する。表示装置制御部１７は、復号部１５により復号された各フレームの画像を、タイミング制御部１６からのタイミングに従って順に表示装置６に表示させる。
【００１９】
図３は、映像再生装置６の動作を示すフローチャートである。解析部１４は、ＧＯＰを取得する度に、このフローを実行する。ここで、ＧＯＰの先頭のフレームであるＩピクチャのフレーム番号をｔとする。
【００２０】
まず、タイミング制御部１６は、タイマーをセットする（Ｓ３１）。次に、復号部１５は、Ｉピクチャ（ｔ）の圧縮映像データの復号を行う（Ｓ３２）。次に、解析部１４は、Ｉピクチャ（ｔ）のヘッダからＩピクチャ（ｔ）の圧縮映像データのデータサイズａを取得してメモリ１２へ保存する（Ｓ３３）。次に、タイミング制御部１６は、タイマー値が基準再生フレーム時間間隔になるまで待機する（Ｓ３４）。次に、表示装置制御部１７は、復号されたＩピクチャ（ｔ）の画像を表示装置７に表示させる（Ｓ３５）。
【００２１】
次に、解析部１４は、ｔを１増加させ（Ｓ３９）、次のフレーム（ｔ）がＩピクチャであるか否か、即ちＧＯＰが終了したか否かの判定を行う（Ｓ４０）。次のフレームがＩピクチャである場合、即ちＧＯＰが終了した場合（Ｓ４０，Ｙ）、このフローは終了する。
【００２２】
次のフレームがＩピクチャでない場合、即ちＧＯＰが終了していない場合（Ｓ４０，Ｎ）、タイミング制御部１６は、タイマーをセットする（Ｓ４１）。次に、復号部１５は、Ｐピクチャ（ｔ）の復号を行う（Ｓ４２）。次に、解析部１４は、Ｐピクチャ（ｔ）のヘッダからＰピクチャ（ｔ）の圧縮映像データのデータサイズｂを取得してメモリ１２へ保存する（Ｓ４３）。次に、再生速度決定部１８は、メモリ１２に格納されたａ及びｂに基づく再生速度決定処理により再生速度ｒを決定する（Ｓ４４）。次に、タイミング制御部１６は、タイマーが再生フレーム時間間隔になるまで待機する（Ｓ４５）。ここで、再生フレーム時間間隔は、基準再生フレーム時間間隔／ｒである。次に、表示装置制御部１７は、復号されたＩピクチャ（ｔ）の画像を表示装置７に表示させる（Ｓ４６）。次に、このフローは、Ｓ３９へ移行する。
【００２３】
ここで、基準再生フレームレートは、撮影フレームレートより高く、例えば３０ｆｐｓである。これにより、作業者は、長時間の映像データを短時間で見ることができる。この場合、上述の基準再生フレーム時間間隔は、１／３０秒である。
【００２４】
Ｓ３２及びＳ３３の順序は逆であっても良い。同様に、Ｓ４２及びＳ４３の順序は逆であっても良い。
【００２５】
図４は、再生速度決定処理を示すフローチャートである。解析部１４は、Ｐピクチャ毎に、このフローを実行する。まず、再生速度決定部１８は、ｍ＝ｂ／ａを求める（Ｓ２０）。
【００２６】
次に、再生速度決定部１８は、１／２≦ｍであるか否かの判定を行う（Ｓ２１）。１／２≦ｍである場合（Ｓ２１，Ｙ）、再生速度決定部１８は、再生速度ｒを１（１倍速）に設定し（Ｓ２２）、このフローを終了する。
【００２７】
１／２≦ｍでない場合（Ｓ２１，Ｎ）、再生速度決定部１８は、１／５≦ｍ＜１／２であるか否かの判定を行う（Ｓ２３）。１／５≦ｍ＜１／２である場合（Ｓ２３，Ｙ）、再生速度決定部１８は、ｒを８（８倍速）に設定し（Ｓ２４）、このフローを終了する。
【００２８】
１／５≦ｍ＜１／２でない場合（Ｓ２３，Ｎ）、即ちｍ＜１／５である場合（Ｓ２５，Ｙ）、再生速度決定部１８は、ｒを３２（３２倍速）に設定し（Ｓ２６）、このフローを終了する。
【００２９】
図５は、ｍとｒの関係の一例を示す図である。再生速度決定部１８は、ｍの値の範囲に基づいてｒの値を決定する。上述のように、１／２≦ｍである場合、ｒは１に設定され、１／５≦ｍ＜１／２である場合、ｒは８に設定され、ｍ＜１／５である場合、ｒは３２に設定される。つまり、映像再生装置６は、Ｐピクチャのデータサイズが大きいほど、そのＰピクチャにおける再生速度を高くする。
【００３０】
再生速度決定処理において、再生速度決定部１８は、予め設定されたｍとｒの関係式を用いてｍからｒを算出しても良い。
【００３１】
以下、映像監視システム１の効果について説明する。
【００３２】
図６は、各フレームの圧縮映像データのデータサイズを示す図である。この図において、横軸は、時間ｔを示し、縦軸は、各フレームの圧縮映像データのデータサイズを示す。更に、横軸の下には、上から、フレーム番号、そのフレームのピクチャ種別（ＩまたはＰ）、そのフレームの画像を示す。ここでは、カメラ２は、監視対象のドアを撮影する。ｔ＝０〜５におけるフレーム画像の時間変化は、ほとんどない。ｔ＝６〜８において、人がそのドアを開けたため、フレーム画像の時間変化は、ｔ＝０〜５より大きい。Ｉピクチャの圧縮映像データのデータサイズは、フレーム画像の時間変化によらず、Ｐピクチャの圧縮映像データのデータサイズより大きい。フレーム画像の時間変化が小さい場合に比べてフレーム画像の時間変化が大きい場合の方が、Ｐピクチャの圧縮映像データのデータサイズは大きくなる。
【００３３】
従って、映像再生装置６は、フレーム画像の時間変化が大きいシーンに比べてフレーム画像の時間変化が小さいシーンの再生速度を高くすることができる。これにより、表示装置６に表示された画像を見る作業者は、フレーム画像の時間変化が小さいシーンよりフレーム画像の時間変化が大きいシーンに時間を掛けて見ることができる。これにより、作業者は、監視カメラにより撮影された映像を効率良く見ることができる。
【００３４】
更に、映像再生装置６は、再生速度を制御するためにフレーム間の差分を算出する等の、大量の演算を行う必要が無い。これにより、映像再生装置６は、他の処理を同時に動作させることができる。また、映像再生装置６における再生速度の制御の負荷が小さいことにより、再生速度が頭打ちになることがなくなる。これにより、映像を間引いて再生する必要がなくなるため、証拠としての信頼性が高くなる。また、映像再生装置６における再生速度の制御の負荷が小さいため、映像再生装置６におけるＣＰＵの消費電力が小さい。
【００３５】
以下、再生速度決定処理における閾値の変更について説明する。
【００３６】
上述の再生速度決定処理における閾値は、映像符号化方式や監視対象に応じて変更されても良い。以下、再生速度決定処理における閾値の変更の例として３つのパターンＡ，Ｂ，Ｃを挙げる。
【００３７】
パターンＡは、再生速度決定処理におけるｍの閾値を小さく変更する場合である。パターンＢは、再生速度決定処理におけるｍの閾値を大きく変更する場合である。パターンＣは、ｍの値が常に大きく、映像監視システム１の効果が小さい場合である。
【００３８】
パターンＡは、映像データのフレームレートが設定値より高い場合を含む。これは、フレームレートが高いほど、フレーム間における監視対象の動きが小さくなり、Ｐピクチャのデータサイズｂが小さくなるため、パターンＡとなる。パターンＡは、カメラ２から監視対象までの距離が設定値より遠い場合を含む。これは、広い空間を監視対象とする場合を含む。これは、カメラ２から監視対象までの距離が遠いほど、フレーム間における監視対象の動きが小さくなり、Ｐピクチャのデータサイズｂが小さくなるため、パターンＡとなる。
【００３９】
パターンＢは、映像データのフレームレートが設定値より低い場合を含む。これは、フレームレートが低いほど、フレーム間における監視対象の動きが大きくなり、Ｐピクチャのデータサイズｂが大きくなるため、パターンＢとなる。パターンＡは、カメラ２から監視対象までの距離が設定値より近い場合を含む。これは、カメラ２がＡＴＭに内蔵されている場合など、上半身や顔などの動く部分が画像の大部分に映る場合や、スポーツを撮影する場合を含む。これは、カメラ２から監視対象までの距離が近いほど、フレーム間における監視対象の動きが大きくなり、Ｐピクチャのデータサイズｂが大きくなるため、パターンＢとなる。
【００４０】
パターンＣは、背景が雑踏である場合を含む。これは、監視対象物が多く、監視対象物の動きの方向がバラバラであるため、パターンＣとなる。パターンＣは、背景が不規則にゆれる場合を含む。これは、背景が風に揺らめく木の枝や草や、波立つ水面である場合を含む。これは、背景の動きが多く、また動き方向がバラバラであるため、パターンＣとなる。
【００４１】
以下、カメラ２がパンを行う（画像に対して水平方向に回転する）場合の、従来技術に比べた本発明の利点を、説明する。
【００４２】
カメラ２の移動または回転を行う場合には、動き補償処理を行う映像符号化方式を用いる。この動き補償処理を行う映像符号化方式は、例えばＭＰＥＧ１，ＭＰＥＧ２，ＭＰＥＧ４、Ｈ．２６４等がある。
【００４３】
図７は、カメラ２がパンを行う場合の各フレームの圧縮映像データのデータサイズを示す図である。この図において、縦軸は、時間ｔを示し、横軸は、各フレームの圧縮映像データのデータサイズを示す。更に、縦軸の左には、右から、フレーム番号、そのフレームのピクチャ種別（ＩまたはＰ）、そのフレームの画像を示す。ここで、カメラ２が左方向へ回転するため、フレーム画像内の背景は時間の経過と共に右へ移動する。
【００４４】
したがって、単に前後のフレームの各画素の差分が大きいことをもって、画像中の人物の動きがあったと判定するようなことができない。
【００４５】
これに対して本発明は、フレームのデータサイズに基づいて再生速度を制御することができる。つまり、ｔ＝１〜３、７〜８において、フレーム画像に背景だけが撮影されているため、動き補償により、Ｐピクチャのデータサイズは小さい。ｔ＝４〜６において、フレーム画像に動く人が撮影されているため、Ｐピクチャのデータサイズは、ｔ＝１〜３より大きい。
【００４６】
従って、カメラ２の移動または回転を行う場合でも、フレームのデータサイズに基づいて、適切に再生速度を制御することができる。
【００４７】
以下、映像監視システム１の変形例について説明する。
【００４８】
カメラ２は、単数であっても良い。レコーダ３は、単数であっても良い。サーバ４を用いずに、レコーダ３が圧縮映像データを直接ストレージ装置５へ保存しても良い。レコーダ３、ストレージ装置５、映像再生装置６は、一つの装置であっても良い。
【００４９】
映像再生装置６は、複数のフレームを有するグループ毎に再生速度を決定し、復号された連続する複数の画像をグループ毎の再生速度に従って順に表示装置に表示させても良い。
【００５０】
第１フレームの表示を開始する時刻から第１フレームの次の第２フレームの表示を開始する時刻までの時間を再生フレーム時間間隔とすると、映像再生装置６は、第１フレームのデータサイズに基づいて再生フレーム時間間隔を決定しても良いし、第２フレームのデータサイズに基づいて再生フレーム時間間隔を決定しても良い。映像再生装置６が、第１フレームのデータサイズに基づいて再生フレーム時間間隔を決定する場合、映像再生装置６は、再生フレーム時間間隔の待機中に第１フレームを復号する。映像再生装置６が、第２フレームのデータサイズに基づいて再生フレーム時間間隔を決定する場合、映像再生装置６は、再生フレーム時間間隔の待機中に第２フレームを復号する。
【００５１】
再生速度決定部１８は、一部のフレームのデータサイズに基づいて再生フレーム時間間隔を決定しても良い。例えば、再生速度決定部１８は、所定のフレーム間隔のフレームのデータサイズに基づいて再生フレーム時間間隔を決定しても良い。再生速度決定部１８は、各フレームのデータサイズに基づいて、フレームレートを決定しても良い。
【００５２】
以下、映像再生装置６の変形例の一つである映像再生装置６ａについて説明する。
【００５３】
図８は、変形例の映像再生装置６ａの構成を示すブロック図である。
【００５４】
映像再生装置６ａは、フレーム間圧縮を行う映像符号化により複数の画像が圧縮された圧縮映像データを解析することにより、圧縮映像データ内の各画像のフレームのデータサイズを取得する解析部２４と、データサイズに基づいて、圧縮映像データの再生速度を決定する決定部２８と、圧縮映像データを複数の画像へ復号する復号部２５と、復号部２５により復号された複数の画像を、再生速度に従って順に表示装置７に表示させる表示制御部２７と有する。
【００５５】
解析部２４は、例えば、解析部１４を含む。
決定部２８は、例えば、再生速度決定部１８を含む。
復号部２５は、例えば、復号部１５を含む。
表示制御部２７は、例えば、タイミング制御部１６及び表示装置制御部１７を含む。
【００５６】
なお、本発明は以下に示すようなコンピュータシステムにおいて適用可能である。図９は、本発明が適用されるコンピュータシステムの一例を示す図である。この図に示すコンピュータシステム９００は、ＣＰＵやディスクドライブ等を内蔵した本体部９０１、本体部９０１からの指示により画像を表示するディスプレイ９０２、コンピュータシステム９００に種々の情報を入力するためのキーボード９０３、ディスプレイ９０２の表示画面９０２ａ上の任意の位置を指定するマウス９０４及び外部のデータベース等にアクセスして他のコンピュータシステムに記憶されているプログラム等をダウンロードする通信装置９０５を有する。通信装置９０５は、ネットワーク通信カード、モデムなどが考えられる。
【００５７】
上述したような、映像再生装置を構成するコンピュータシステムにおいて上述した各ステップを実行させるプログラムを、映像再生プログラムとして提供することができる。このプログラムは、コンピュータシステムにより読み取り可能な記録媒体に記憶させることによって、映像再生装置を構成するコンピュータシステムに実行させることが可能となる。上述した各ステップを実行するプログラムは、ディスク９１０等の可搬型記録媒体に格納されるか、通信装置９０５により他のコンピュータシステムの記録媒体９０６からダウンロードされる。また、コンピュータシステム９００に少なくとも映像再生機能を持たせる映像再生プログラムは、コンピュータシステム９００に入力されてコンパイルされる。このプログラムは、コンピュータシステム９００を、映像再生機能を有する映像再生システムとして動作させる。また、このプログラムは、例えばディスク９１０等のコンピュータ読み取り可能な記録媒体に格納されていても良い。ここで、コンピュータシステム９００により読み取り可能な記録媒体としては、ＲＯＭやＲＡＭ等のコンピュータに内部実装される内部記憶装置、ディスク９１０やフレキシブルディスク、ＤＶＤディスク、光磁気ディスク、ＩＣカード等の可搬型記憶媒体や、コンピュータプログラムを保持するデータベース、或いは、他のコンピュータシステム並びにそのデータベースや、通信装置９０５のような通信手段を介して接続されるコンピュータシステムでアクセス可能な各種記録媒体を含む。
【００５８】
以上の実施の形態に関し、更に以下の付記を開示する。
（付記１）
フレーム間圧縮を行う映像符号化により複数の画像が圧縮された圧縮映像データを解析することにより、該圧縮映像データ内の各画像のフレームのデータサイズを取得する解析部と、
前記データサイズに基づいて、前記圧縮映像データの再生速度を決定する決定部と、
前記圧縮映像データを前記複数の画像へ復号する復号部と、
前記複数の画像を、前記再生速度に従って順に表示装置に表示させる表示制御部と、
を備える映像再生装置。
（付記２）
前記表示制御部は、第１のフレームの表示を開始する時刻から、前記再生速度に基づいて定まる時間間隔をおいて、前記第１のフレームの次の第２のフレームの画像の表示を開始する、
付記１に記載の映像再生装置。
（付記３）
前記決定部は、前記第１フレームのデータサイズ又は前記第２フレームのデータサイズに基づいて前記時間間隔を決定する、
付記２に記載の映像再生装置。
（付記４）
前記映像符号化は、フレーム内圧縮と前記フレーム間圧縮を行い、
前記圧縮映像データは、前記フレーム内圧縮により圧縮されたフレームであるＩピクチャと、前記フレーム間圧縮により圧縮されたフレームであるＰピクチャとを有し、
前記決定部は、前記Ｉピクチャのデータサイズに対する前記Ｐピクチャのデータサイズの比に基づいて、該Ｐピクチャの再生タイミングを決定する、
付記１に記載の映像再生装置。
（付記５）
前記決定部は、ＩピクチャのデータサイズとＰピクチャのデータサイズとの比が高いほど、該Ｐピクチャにおける再生速度を高くする、
付記４に記載の映像再生装置。
（付記６）
前記決定部は、フレーム毎の前記再生速度を決定し、
前記表示制御部は、前記復号部により復号された連続する複数の画像を、フレーム毎の前記再生速度に従って順に表示装置に表示させる
付記１に記載の映像再生装置。
（付記７）
前記映像符号化は更に、前記フレーム間圧縮において動き補償を行う、
付記１に記載の映像再生装置。
（付記９）
フレーム間圧縮を行う映像符号化により複数の画像が圧縮された圧縮映像データを解析することにより、該圧縮映像データ内の各画像のフレームのデータサイズを取得し、
前記データサイズに基づいて、前記圧縮映像データの再生速度を決定することと、
前記圧縮映像データを前記複数の画像へ復号し、
前記複数の画像を、前記再生速度に従って順に表示装置に表示させる、
ことをコンピュータに実行させる映像再生プログラムをコンピュータ読み取り可能に格納した記録媒体。
（付記１０）
フレーム間圧縮を行う映像符号化により複数の画像が圧縮された圧縮映像データを解析することにより、該圧縮映像データ内の各画像のフレームのデータサイズを取得し、
前記データサイズに基づいて、前記圧縮映像データの再生速度を決定し、
前記圧縮映像データを前記複数の画像へ復号し、
前記複数の画像を、前記再生速度に従って順に表示装置に表示させる、
ことを備える映像再生方法。
【符号の説明】
【００５９】
１  映像監視システム
２  カメラ
３  レコーダ
４  サーバ
５  ストレージ装置
６  映像再生装置
７  表示装置
８  入力装置
１１  通信部
１２  メモリ
１４  解析部
１５  復号部
１６  タイミング制御部
１７  表示装置制御部
１８  再生速度決定部
２４  解析部
２５  復号部
２７  表示制御部
２８  決定部
【図１】
2010288036.tif 000003
【図２】
2010288036.tif 000004
【図３】
2010288036.tif 000005
【図４】
2010288036.tif 000006
【図５】
2010288036.tif 000007
【図６】
2010288036.tif 000008
【図７】
2010288036.tif 000009
【図８】
2010288036.tif 000010
【図９】
2010288036.tif 000011